(57)【要約】【課題】公知技術の電子式血圧計は使用者側でｋ４又はｋ５音を切り換える機能が提供されていない。【解決手段】主に使用者の測定部位に対する加圧及び減圧の腕帯と、被測定者の測定部位のパルス圧力変化を検出する圧力センサーと、使用者の選択によりｋ４／ｋ５コロトコフ音測定法を測定量件とする選択装置と、測定条件を受信し圧力センサーを設定された測定条件に従って測定するマイクロプロセッサー単元を含め、検出された即定数値に基づいて演算処理した後、表示装置を制御し測定された血圧と収縮期血圧値と拡張期血圧値を表示させる。【選択図】図２
2009172276.tif 000002
【特許請求の範囲】
【請求項１】
使用者の被測定部位に対して加圧と減圧を行う、腕帯と、
前記被測定部位の脈圧変化を検知する、圧力センサーと、
使用者が血圧測定する前に必要に応じて、コロトコフ音第４フェーズ（ｋ４音）又はコロトコフ音第５フェーズ（ｋ５音）のいずれかを切り換えて測定条件とする、選択装置と、
前記圧力センサーを制御し前記設定された測定条件に基づいて測定し、測定された数値の演算処理を行う、マイクロプロセッサー単元と、
前記マイクロプロセッサー単元の演算処理結果を受信し、少なくとも前記使用者より測定された収縮期血圧及び拡張期血圧を表示する、表示装置と、を少なくとも含むことを特徴とする、
電子式血圧測定装置。
【請求項２】
前記表示装置は、前記選択装置によって切り換え設定された測定条件を表示できることを特徴とする請求項１記載の電子式血圧測定装置。
【請求項３】
前記腕帯に空気の充填と排出させる空気袋を備えることを特徴とする請求項１記載の電子式血圧測定装置。
【請求項４】
ポンプ機構をさらに有し、該ポンプ機構は、前記マイクロプロセッサー単元によって制御され、前記空気袋が動脈の血の流れを一時止める圧力に加圧することを特徴とする請求項３記載の電子式血圧測定装置。
【請求項５】
排気弁をさらに有し、該排気弁は、前記マイクロプロセッサー単元によって制御され、低流量により前記空気袋の内部空気を排出させることを特徴とする請求項３記載の電子式血圧測定装置。
【請求項６】
電磁弁をさらに有し、該電磁弁は、前記マイクロプロセッサー単元によって制御され、前記空気袋の内部空気を素早く放出できることを特徴とする請求項５記載の電子式血圧測定装置。
【請求項７】
前記空気袋は、連絡管を介して、前記圧力センサー、ポンプ機構、排気弁及び電磁弁に接続し、前記マイクロプロセッサー単元によって制御され、前記腕帯による被測定部位の加圧レベルを調節することを特徴とする請求項６記載の電子式血圧測定装置。
【発明の詳細な説明】
【技術分野】
【０００１】
本発明は電子式血圧測定装置、特に使用者がコロトコフ音（Ｋｏｒｏｔｋｏｆｆ’ｓ  ｓｏｕｎｄｓ）の異なる位相測定法の切り換えにより、収縮期血圧と拡張期血圧を読み取る電子式血圧計に関わるものである。
【背景技術】
【０００２】
血圧は人間の体にとって、健康状態の重要な指標であり、血圧測定によって心臓と血管機能を知ることができる。人間は、仕事の圧力及び飲食慣習の改変により、高脂肪、高糖分、高塩分飲食に偏っていたため、体に大きな負担を与えている。
【発明の開示】
【発明が解決しようとする課題】
【０００３】
公知技術の電子式血圧計は、設計及び検証時に臨床検証に採用されるｋ４又はｋ５いずれのコロトコフ音測定法に設定されている。
しかし、子供、妊婦、厳重な貧血、主動脈弁閉鎖不全など特殊体質な方の血圧検出はきわめて難しい。よって、医療界はこのような特殊体質のために、音声が変わるときにコロトコフ音第４フェーズ（以下、ｋ４と称する。）を拡張期動脈圧と定める。残念ながら、この種のｋ４音の電子式血圧測定法は一般の方に適用できない。
このため、業者は前記した特殊体質な方にｋ４コロトコフ音測定用の電子式血圧計を特別に用意しなければならない。しかし、公知技術の電子式血圧計は使用者側でｋ４又はｋ５音を切り換える機能が提供されていない。よって、電子式血圧計の適用対象は制限を受ける。
【０００４】
この点を鑑みて、前記したｋ４又はｋ５音に固定し測定する公知技術の電子式血圧計には使用範囲を制限される欠点があり、改善の余地がある。
【課題を解決するための手段】
【０００５】
前記の目的を達成するための電子式血圧計は、使用者の手首又は腕部をかぶせて空気袋を備えた腕帯と、前記空気袋に空気を充填して被測定者の被測定部位の動脈血の流れを一時止めるポンプ機構と、前記空気袋内部の空気を排出させる弁機構であって前記ポンプ機構と該弁機構により前記腕帯の加圧レベルを調節する弁機構と、検出された被測定部位の脈圧変化をパルス信号に置き換えて出力する圧力センサーと、アンプ回路と、前記圧力センサーより出力されたパルス信号と、使用者によりｋ４又はｋ５音を切り替わる選択装置と、前記選択装置にて設定された測定条件を受信して、前記圧力センサーを設定された測定条件に基づいて測定するマイクロプロセッサー単元（ＭＣＵ）と、を少なくとも有し、前記マイクロプロセッサー単元（ＭＣＵ）は前記アンプ回路より出力されたパルス信号を演算処理した後、液晶ディスプレイなどの表示装置を制御し、少なくとも測定された収縮期血圧と拡張期血圧を表示させることを特徴とするものである。
【０００６】
すなわち、本願の第１発明は、使用者の被測定部位に対して加圧と減圧を行う、腕帯と、前記被測定部位の脈圧変化を検知する、圧力センサーと、使用者が血圧測定する前に必要に応じて、コロトコフ音第４フェーズ（ｋ４音）又はコロトコフ音第５フェーズ（ｋ５音）のいずれかを切り換えて測定条件とする、選択装置と、
前記圧力センサーを制御し前記設定された測定条件に基づいて測定し、測定された数値の演算処理を行う、マイクロプロセッサー単元と、前記マイクロプロセッサー単元の演算処理結果を受信し、少なくとも前記使用者より測定された収縮期血圧及び拡張期血圧を表示する、表示装置と、を少なくとも含むことを特徴とする、電子式血圧測定装置を提供することを要旨としている。
【０００７】
また、本願の第２発明は、前記表示装置は、前記選択装置によって切り換え設定された測定条件を表示できることを特徴とする前記第１発明記載の電子式血圧測定装置を提供することを要旨としている。
【０００８】
また、本願の第３発明は、前記腕帯に空気の充填と排出させる空気袋を備えることを特徴とする前記第１発明記載の電子式血圧測定装置を提供することを要旨としている。
【０００９】
また、本願の第４発明は、ポンプ機構をさらに有し、該ポンプ機構は、前記マイクロプロセッサー単元によって制御され、前記空気袋が動脈の血の流れを一時止める圧力に加圧することを特徴とする前記第３発明記載の電子式血圧測定装置を提供することを要旨としている。
【００１０】
また、本願の第５発明は、排気弁をさらに有し、該排気弁は、前記マイクロプロセッサー単元によって制御され、低流量により前記空気袋の内部空気を排出させることを特徴とする前記第３発明記載の電子式血圧測定装置を提供することを要旨としている。
【００１１】
また、本願の第６発明は、電磁弁をさらに有し、該電磁弁は、前記マイクロプロセッサー単元によって制御され、前記空気袋の内部空気を素早く放出できることを特徴とする前記第５発明記載の電子式血圧測定装置を提供することを要旨としている。
【００１２】
また、本願の第７発明は、前記空気袋は、連絡管を介して、前記圧力センサー、ポンプ機構、排気弁及び電磁弁に接続し、前記マイクロプロセッサー単元によって制御され、前記腕帯による被測定部位の加圧レベルを調節することを特徴とする前記第６発明に記載の電子式血圧測定装置を提供することを要旨としている。
【発明の効果】
【００１３】
本発明によれば、使用者側の選択により、ｋ４又はｋ５音測定法切り換えて血圧測定ができ、電子式血圧計の使用対象の拡大を図ることができる。
【発明を実施するための最良の形態】
【００１４】
本発明の技術内容並びに目的と効果のさらなる理解を図るため、好ましい実施例と図式に基づいて、以下の通り説明する。
【実施例１】
【００１５】
図１に示す通り、本発明の電子式血圧測定装置は、使用者によりｋ４又はｋ５音を切り換えて血圧測定ができる。
【００１６】
前記ｋ４又はｋ５音測定の切り換え可能な電子式血圧計は、少なくとも連絡管１００を備え、前記連絡管１００の一端はポンプ機構１１０に接続され、他端に体の手首又は腕部部位をかぶせる腕帯２００に設けられる空気袋２０１に接続される。
【００１７】
前記連絡管１００はそれぞれ圧力センサー１２０、電磁弁１３０及び排気弁１３１に接続され、前記電磁弁１３０は空気袋２０１内部空気を素早く放出できる。
【００１８】
前記排気弁１３１は血圧の測定時、低流量にて空気袋２０１の内部空気を放出させ、前記ポンプ機構１１０により空気袋２０１に空気を充填して動脈の血の流れを一時止める最大圧力値に加圧した後、一定期間、低流量にて空気袋２０１の内部空気を安定に放出させる。
【００１９】
前記圧力センサー１２０はマイクロプロセッサー単元 （ｍｉｃｒｏｐｒｏｃｅｓｓｏｒ  ｃｏｎｔｒｏｌ  ｕｎｉｔ，  ＭＣＵ）１４０と電気的接続しておき、測定時の手首又は腕部部位の血圧脈動を検知して高/低血圧値（収縮期血圧/拡張期血圧）を検出する。
【００２０】
前記マイクロプロセッサー単元（ｍｉｃｒｏｐｒｏｃｅｓｓｏｒ  ｃｏｎｔｒｏｌ  ｕｎｉｔ，  ＭＣＵ）１４０は電気回路により、液晶ディスプレイなどの表示装置１５０と電気接続して、少なくとも測定された高/低血圧値を表示する。
【００２１】
前記血圧計はさらに電源スイッチ１６０を設けて、前記血圧計電源のオン・オフ操作に備える。
【００２２】
本発明の電子式血圧計はさらに選択装置１７０を設け、使用者が必要に応じて、ｋ４又はｋ５音を血圧測定条件に設定できる。
前記選択装置１７０は使用者の選択設定条件に従い、制御信号を前記マイクロプロセッサー単元（ｍｉｃｒｏｐｒｏｃｅｓｓｏｒ  ｃｏｎｔｒｏｌ  ｕｎｉｔ，  ＭＣＵ）１４０に伝送して、前記マイクロプロセッサー単元（ｍｉｃｒｏｐｒｏｃｅｓｓｏｒ  ｃｏｎｔｒｏｌ  ｕｎｉｔ，  ＭＣＵ）１４０より前記圧力センサー１２０を制御して測定条件（ｋ４又はｋ５音による測定）に従って血圧測定を行う特徴を有する。
【００２３】
図２に示すものは、本発明の電子式血圧測定装置内部構造のロジックブロック図である。
腕帯２００は、使用者の手首又は腕部をかぶせる空気袋２０１を備える。、
ポンプ機構１１０は、前記空気袋２０１に空気を充填して、被測定者の被測定部位の動脈血の流れを一時止める。
弁機構は、前記した電磁弁１３０と排気弁１３１を備え、前記空気袋２０１内部の空気を排出させる。
前記ポンプ機構１１０と弁機構の電磁弁１３０、排気弁１３１により前記腕帯２００の加圧レベルを調節する。
ポンプ駆動回路１１１前記ポンプ機構１１０を駆動する。
電磁弁１３０は、前記弁機構を調節する。
弁駆動回路１３２は、排気弁１３１の開閉を制御する。
選択装置１７０（本実施例において、切り換えスイッチを使用）は、前記腕帯２００より検出された被測定者の被測定部位の脈圧変化をパルス信号に置き換えて出力し、アンプ回路１２１、圧力センサー１２０より出力される脈拍信号に従い、周期性を帯びたパルス信号を出力し、使用者よりｋ４又はｋ５音の選択設定に備える機能を有する。
マイクロプロセッサー単元（ｍｉｃｒｏｐｒｏｃｅｓｓｏｒ  ｃｏｎｔｒｏｌ  ｕｎｉｔ，  ＭＣＵ）１４０は、前記選択装置１７０によって設定された測定条件を受信し、圧力センサー１２０を制御して測定条件に基づいて、測定を行う。
前記マイクロプロセッサー単元（ｍｉｃｒｏｐｒｏｃｅｓｓｏｒ  ｃｏｎｔｒｏｌ  ｕｎｉｔ，  ＭＣＵ）１４０は前記アンプ回路１２１より出力された周期性帯びたパルス信号を演算処理した後、液晶ディスプレイなどの表示装置１５０を制御して、測定された収縮期血圧及び拡張期血圧を表示させる。
【００２４】
前記表示装置１５０はさらに前記選択装置１７０より設定されたｋ４又はｋ５音の測定条件を表示できる。
【００２５】
前記空気袋２０１は連絡管１００及び前記圧力センサー１２０、ポンプ機構１１０及び弁機構の電磁弁１３０、排気弁１３１に接続しておき、マイクロプロセッサー単元（ｍｉｃｒｏｐｒｏｃｅｓｓｏｒ  ｃｏｎｔｒｏｌ  ｕｎｉｔ，  ＭＣＵ）１４０の制御を受ける。前記腕帯２００の被測定者に対する加圧レベルを調節して、前記した説明の通り、ｋ１音（収縮期血圧）及び選択装置１７０により設定されたｋ４又はｋ５音（血圧の拡張期血圧値）を読み取る。
【００２６】
前記電子式血圧計に設けられる電源装置１８０は、前記血圧計の各部分に必要な動力源を供給するものであり、内蔵式バッテリー組又は外部電源の供給選択ができる。電源スイッチ１６０は使用者の血圧計電源のオン・オフ操作に備える。
使用者による本発明の電子式血圧測定装置の血圧測定手順は、図３に示す通り第１ステップにおいて、前記電源スイッチ１６０より前記血圧計の電源を投入して、前記電源装置１８０より血圧計の各部へ電気を供給する。第２ステップにおいて、使用者の必要に応じて、前記選択装置１７０より、ｋ４又はｋ５音を拡張期血圧測定の条件とする。第３ステップにおいて、前記選択装置１７０は使用者によって設定された後、制御信号を前記マイクロプロセッサー単元（ｍｉｃｒｏｐｒｏｃｅｓｓｏｒ  ｃｏｎｔｒｏｌ  ｕｎｉｔ，  ＭＣＵ）１４０に出力して、前記マイクロプロセッサー単元（ｍｉｃｒｏｐｒｏｃｅｓｓｏｒ  ｃｏｎｔｒｏｌ  ｕｎｉｔ，  ＭＣＵ）１４０により、前記ポンプ機構１１０及び弁機構の電磁弁１３０、排気弁１３１を制御して、前記空気袋２０１に空気を充填し動脈の血の流れを一時止めるため、あらかじめに設定された最大圧力値を加圧した後、一定の期間において、低流量にて空気袋２０１内部の空気を排出させ、前記圧力センサー１２０によって検出を行う。第４ステップにおいて、検出された血管壁の血液振動値を第２ステップに設定されたｋ４又はｋ５音の値に置き換えて、マイクロプロセッサー単元（ｍｉｃｒｏｐｒｏｃｅｓｓｏｒ  ｃｏｎｔｒｏｌ  ｕｎｉｔ，  ＭＣＵ）１４０にて演算処理を行う。第５ステップにおいて、前記マイクロプロセッサー単元（ｍｉｃｒｏｐｒｏｃｅｓｓｏｒ  ｃｏｎｔｒｏｌ  ｕｎｉｔ，  ＭＣＵ）１４０より前記表示装置１５０を制御し、測定された血圧を表示させる。
【００２７】
本発明の電子式血圧測定装置は使用者側の必要に応じて、ｋ４又はｋ５音測定法を切り換えて血圧測定選択ができ、電子式血圧計の使用対象を広げることができる。
【図面の簡単な説明】
【００２８】
【図１】本発明の電子式血圧測定装置の概略図である。
【図２】本発明の電子式血圧測定装置内部構造のロジックブロック図、及び
【図３】本発明の電子式血圧測定装置による血圧測定手順を示すフロー図である。
【符号の説明】
【００２９】
１００  連絡チューブ
１１０  ポンプ機構
１１１  ポンプ駆動回路
１２０  圧力センサー
１２１  アンプ回路
１３０  電磁弁
１３１  排気弁
１３２  バルブ駆動回路
１４０  マイクロプロセッサー単元（ＭＣＵ）
１５０  表示装置
１６０  電源スイッチ
１７０  選択装置
１８０  電源供給装置
２００  腕帯
２０１  空気袋
【図１】
2009172276.tif 000003
【図２】
2009172276.tif 000004
【図３】
2009172276.tif 000005